(57)【要約】【課題】  画像形成装置において、生成されたビットマップデータのデータの並び順が給紙される用紙に対して想定される印刷方向とが一致しない場合に、用紙の正しい挿入方向を表示パネル部において指示する。【解決手段】  画像形成装置においての障害発生時等の用紙の再挿入を促す場合にすでに生成されているビットマップデータのデータの並び順に基づいて、用紙の挿入する方向を表示パネルにて正しく表示するため、データの並び順と印刷方向の不一致による印刷停止が発生することが無くなる。【選択図】図４
2010178079.tif 000002
【特許請求の範囲】
【請求項１】
印刷データをビットマップデータに変換する画像データ変換部と、
印刷される用紙を蓄えて給紙する給紙部と、
前記給紙部の用紙の方向を検出する給紙状態検知部と、
前記給紙状態検知部が検知した用紙の方向に合わせて前記ビットマップデータの回転処理を行う画像回転部と、
前記ビットマップデータを前記給紙部から前記用紙の供給を受けて印刷を行う印刷部とを有する画像形成装置であって、
前記画像データ変換部で生成されたビットマップデータの画素データの並び順が前記給紙状態検知部で検出された用紙の方向と一致しているかどうかを判断する用紙方向一致判断部と、
前記用紙方向一致判断部が前記ビットマップデータの画素データの並び順が前記給紙部から給紙された用紙の印刷方向と一致しないと判断したときは、前記ビットマップデータのデータの並びに合わせた用紙の印刷方向に用紙を補充する旨表示する表示パネル部とを有する
ことを特徴とする画像形成装置。
【請求項２】
請求項１の画像形成装置であって、
印刷中の障害により印刷が停止した場合には、障害からの復帰時に前記給紙状態検知部により用紙の方向を検出し、前記回転判断部により前記検出された用紙の方向と前記ビットマップデータの画素データの並び順とが一致しているかどうかを判断し、前記回転判断部が一致しないと判断した際に、前記表示パネル部は、前記ビットマップデータのデータの並びに合わせた用紙の印刷方向に用紙を補充する旨表示する
ことを特徴とする画像形成装置。
【請求項３】
請求項１又は２の画像形成装置であって、
前記画像回転部は、画像回転ハードウェアによりビットマップデータの回転処理を行う
ことを特徴とする画像形成装置。
【発明の詳細な説明】
【技術分野】
【０００１】
画像形成装置において、印刷データの印刷方向と給紙カセットにセットされた用紙の方向の不一致に起因するエラー処理に関するものである。
【背景技術】
【０００２】
画像形成装置においては、印刷データをビットマップ化する際に給紙カセットの用紙の方向に合わせてビットマップを生成し、印刷時に印刷エンジンに対して渡される前記ビットマップデータのデータの並び順が最初に主走査方向、次に副走査方向になるように生成するという方法が一般的であった。
【０００３】
しかし、高速の画像回転ハードウェアなどの登場で画像処理速度が向上してきたために、印刷データをビットマップ化する段階ではアプリケーション側が指示した通りの方向でビットマップデータを生成し、画像形成装置においての給紙段の選択時にビットマップデータと用紙方向のマッチする給紙段を選択して印刷を行うか、マッチしない用紙方向の給紙段しかない場合には、当該給紙段を選択してビットマップデータの方を画像回転処理して印刷するという方法が取られるようになった。
【０００４】
このマッチしていない給紙段を選択した場合で、例えば給紙カセットの用紙が消費されて無くなってしまったり、又、紙詰まりなどの障害発生時の解消処理により適合した給紙方向のカセットの用紙が無くなったりした場合には、新しく用紙を挿入しなければならないが、アプリケーション側が意図した印刷データ方向についての用紙の方向をまちがって挿入してしまうと、すでに生成されたビットマップデータのデータの並びの方向と給紙カセットの用紙の方向とが一致しないとして印刷が行われずに処理が中止されてしまう問題が発生していた。
【０００５】
従来技術として、複写倍率を自動的に設定すると共に、必要に応じて画像を回転するために、原稿サイズ情報、画像支持体サイズ及び給紙情報とに基づいて、画素データのアドレスを変換する手段とを有する画像形成装置を用いて、画像を回転させる方法がある（特許文献１参照）。
【０００６】
しかし、この方法では印刷前に用紙方向に合わせて画像の回転を行うことだけであって、上記した画像データ変換処理後の印刷データと給紙カセットの方向の不一致時のエラー表示については何も対応ができなかった。
【先行技術文献】
【特許文献】
【０００７】
【特許文献１】特開平６−８６０５０号公報
【発明の概要】
【発明が解決しようとする課題】
【０００８】
アプリケーション側が画像形成装置のカセットの給紙方向に基づかず、印刷データの方向の並び順を決定して画像形成装置に送信して、画像形成装置側で当該印刷データの方向の用紙がないが９０度回転した方向の用紙が有るので画像データの回転処理を行ってビットマップデータの並びの方向を当該用紙の給紙方向に合わせた場合には、当該用紙の用紙切れ等が発生して用紙の挿入を促す際に、画像形成装置側での回転処理を行う前のアプリケーション側での印刷データの方向に基づいた用紙方向での挿入を促してしまう問題が発生していた。
【０００９】
解決しようとする課題は、画像形成装置においての障害発生時等の用紙の再挿入を促す場合にすでに生成されている画像データの印刷方向と給紙カセットの用紙の方向が一致しない方向に表示してしまうのを防ぐことができなかった点である。
【課題を解決するための手段】
【００１０】
本発明の画像形成装置は、印刷データをビットマップデータに変換する画像データ変換部と、印刷される用紙を蓄えて給紙する給紙部と、前記給紙部の用紙の方向を検出する給紙状態検知部と、前記給紙状態検知部が検知した用紙の方向に合わせて前記ビットマップデータの回転処理を行う画像回転部と、前記ビットマップデータを前記給紙部から前記用紙の供給を受けて印刷を行う印刷部とを有する画像形成装置であって、前記画像データ変換部で生成されたビットマップデータの画素データの並び順が前記給紙状態検知部で検出された用紙の方向と一致しているかどうかを判断する用紙方向一致判断部と、前記用紙方向一致判断部が前記ビットマップデータの画素データの並び順が前記給紙部から給紙された用紙の印刷方向と一致しないと判断したときは、前記ビットマップデータのデータの並びに合わせた用紙の印刷方向に用紙を補充する旨表示する表示パネル部とを有することを特徴とする。
【００１１】
また、本発明の画像形成装置は、印刷中の障害により印刷が停止した場合には、障害からの復帰時に前記給紙状態検知部により用紙の方向を検出し、前記回転判断部により前記検出された用紙の方向と前記ビットマップデータの画素データの並び順とが一致しているかどうかを判断し、前記回転判断部が一致しないと判断した際に、前記表示パネル部は、前記ビットマップデータのデータの並びに合わせた用紙の印刷方向に用紙を補充する旨表示することを特徴としてもよい。
【００１２】
また、本発明の画像形成装置の前記画像回転部は画像回転ハードウェアによりビットマップデータの回転処理を行うことを特徴としてもよい。
【発明の効果】
【００１３】
本発明の画像形成装置は、印刷データをビットマップデータに変換する画像データ変換部と、印刷される用紙を蓄えて給紙する給紙部と、前記給紙部の用紙の方向を検出する給紙状態検知部と、前記給紙状態検知部が検知した用紙の方向に合わせて前記ビットマップデータの回転処理を行う画像回転部と、前記ビットマップデータを前記給紙部から前記用紙の供給を受けて印刷を行う印刷部とを有する画像形成装置であって、前記画像データ変換部で生成されたビットマップデータの画素データの並び順が前記給紙状態検知部で検出された用紙の方向と一致しているかどうかを判断する用紙方向一致判断部と、前記用紙方向一致判断部が前記ビットマップデータの画素データの並び順が前記給紙部から給紙された用紙の印刷方向と一致しないと判断したときは、前記ビットマップデータのデータの並びに合わせた用紙の印刷方向に用紙を補充する旨表示する表示パネル部とを有することを特徴とする。
【００１４】
このため、ビットマップデータの画素データの並び順が前記給紙状態検知部で検出された用紙の方向と一致しない場合に正しい方向に用紙を挿入するように表示パネルで指示されるので用紙の挿入方向のまちがいが発生しない。
【００１５】
また、本発明の画像形成装置は、印刷中の障害により印刷が停止した場合には、障害からの復帰時に前記給紙状態検知部により用紙の方向を検出し、前記回転判断部により前記検出された用紙の方向と前記ビットマップデータの画素データの並び順とが一致しているかどうかを判断し、前記回転判断部が一致しないと判断した際に、前記表示パネル部は、前記ビットマップデータのデータの並びに合わせた用紙の印刷方向に用紙を補充する旨表示することを特徴としてもよい。
【００１６】
このため、用紙の消費や紙詰まり後の障害回避処理によって、挿入される用紙の印刷方向が正しく表示されて、用紙の印刷方向の間違いによる印刷停止等が発生しなくなる。
【００１７】
また、本発明の画像形成装置の前記画像回転部は画像回転ハードウェアによりビットマップデータの回転処理を行うことを特徴としてもよい。
【００１８】
このため、印刷データから変換されたビットマップデータの印刷方向と用紙の方向が一致しない場合であっても画像回転ハードウェアが高速にビットマップデータの回転処理を行い、印刷を中止することなく継続可能となる。
【図面の簡単な説明】
【００１９】
【図１】印刷データの方向と給紙方向の違いによる画像データの生成方向の説明図である。
【図２】本発明実施例の画像形成装置の機能ブロック図である。
【図３】本発明実施例の画像形成装置の動作のフローチャートの前半部である。
【図４】本発明実施例の画像形成装置の動作のフローチャートの後半部である。
【発明を実施するための形態】
【００２０】
画像形成装置において、生成されたビットマップデータのデータの並び順が、給紙される用紙に対して想定される印刷方向と一致しているかどうかを用紙方向一致判断部により判断し、一致していない場合には画像回転部により当該ビットマップデータを９０°、２７０°等の回転処理を行うことにより印刷を中止せずに継続する。
【実施例】
【００２１】
［印刷データの方向と給紙方向］
図１は、印刷データの方向と給紙方向について説明した表である。図１では、例として１００×２００ｍｍ（２００×１００ｍｍでも同じ）のサイズの用紙に印刷する場合について説明する。
【００２２】
図１（Ａ）に１００×２００ｍｍ用紙のポートレート方向で生成される印刷データを示し、図１（Ｂ）に２００×１００ｍｍ用紙のランドスケープ方向で生成される印刷データを示す。印刷データを生成する際には、一般的には、画像形成装置の給紙カセットの方向を確認して、当該方向に合わせることが一般的ではあるが、アプリケーションによっては、そのような動作を行わず、アプリケーション側で一方的に印刷データが最終的にビットマップ化される方向を想定してデータ化（ページ記述言語化）される場合がある。そのため、ポートレートの印刷であっても、Ｘａのように用紙の短手側を主走査方向と想定して印刷データ化する場合、Ｙａのように用紙の長手側を主走査方向と想定して印刷データ化する場合がある。また、ランドスケープの場合には、Ｙｂのように用紙の長手側を主走査方向と想定して印刷データ化する場合とＸｂのように用紙の短手側を主走査方向と想定して印刷データ化する場合がある。
【００２３】
画像形成装置において印刷される際の給紙カセットの方向について、給紙方向（矢印Ｚによって表記）が用紙の長手方向と一致する通常の給紙方向を図１（Ｃ）に、一般にＲと呼ばれる給紙方向が用紙の短手方向と一致するＲ方向の給紙方向を図１（Ｆ）に示す。図１（Ｃ）及び図１（Ｆ）には、それぞれの画面での画像データの並び順が矢印で示されている。印刷エンジンは、給紙方向に対し垂直な方向（主走査方向）に走査を行ってデータの描画を行い、給紙方向（副走査方向）に沿って次々に操作が繰り返される。よって、ビットマップ化された画像データは、これらの操作方向に従い順に画素データが並んでいる。これら画素データの並び順を図１（Ｃ）では矢印Ｘ、図１（Ｆ）では矢印Ｙで示す。
【００２４】
図１（Ｄ）では、給紙方向が通常給紙である。アプリケーション側で生成された印刷データが前記したＸａであれば、印刷データの回転無しに画像データの生成が行われて、画像データが印刷部に渡されて印刷が行われる。アプリケーション側で生成された印刷データが前記したＹａであれば、印刷データをビットマップ化した後２７０度の回転処理を行えば、印刷エンジンの主走査方向にあったビットマップデータが生成される。図１（Ｄ）での画素データの並び順を矢印Ｘｄで表す。
【００２５】
図１（Ｅ）では、給紙方向が通常給紙である。アプリケーション側で生成された印刷データが前記したＸｂであれば、印刷データの回転無しに画像データの生成が行われて、画像データが印刷部に渡されて印刷が行われる。アプリケーション側で生成された印刷データが前記したＹｂであれば、印刷データをビットマップ化した後２７０度の回転処理を行えば、印刷エンジンの主走査方向にあったビットマップデータが生成される。図１（Ｅ）での画素データの並び順を矢印Ｘｅで表す。
【００２６】
図１（Ｇ）では、給紙方向がＲ方向給紙である。アプリケーション側で生成された印刷データが前記したＹａであれば、印刷データの回転無しに画像データの生成が行われて、画像データが印刷部に渡されて印刷が行われる。アプリケーション側で生成された印刷データが前記したＸａであれば、印刷データをビットマップ化した後９０度の回転処理を行えば、印刷エンジンの主走査方向にあったビットマップデータが生成される。図１（Ｇ）での画素データの並び順を矢印Ｙｇで表す。
【００２７】
図１（Ｈ）では、給紙方向がＲ方向給紙である。アプリケーション側で生成された印刷データが前記したＹｂであれば、印刷データの回転無しに画像データの生成が行われて、画像データが印刷部に渡されて印刷が行われる。アプリケーション側で生成された印刷データが前記したＸｂであれば、印刷データをビットマップ化した後２７０度の回転処理を行えば、印刷エンジンの主走査方向にあったビットマップデータが生成される。図１（Ｈ）での画素データの並び順を矢印Ｙｈで表す。
【００２８】
上記の場合で、アプリケーション側での印刷データ方向と用紙の給紙方向とが合わずに画像データの回転処理を行った場合、用紙切れが発生すると従来の画像形成装置では、アプリケーション側での印刷データ方向に基づいて、挿入する用紙について指示するために、すでに回転処理が行われたビットマップデータの並びと、挿入指示する用紙の方向が一致しないという問題が発生していた。
【００２９】
本発明の画像形成装置では、用紙補充の際に生成されたビットマップデータのデータ並び順と補充される用紙方向の一致を解析して、補充された用紙の方向がビットマップデータの並びと不一致であればその旨表示パネルでエラー表示を行うか、補充時にすでに画像回転済みのビットマップデータのデータ並び順方向を考慮して、正しい用紙方向を挿入するように表示パネルに表示するという方法によりこの問題を解決した。
【００３０】
［構成］
画像形成装置の構成について以下に説明する。
【００３１】
図２は、本発明実施例の画像形成装置１０１の機能ブロック図である。
【００３２】
画像形成装置１０１は、インタフェース部１１１、印刷データ受信部１１３、用紙方向一致判断部１１５、画像回転部１１７、ＰＤＬ−ＤＬ変換部１１９（画像データ変換部）、ＤＬ−ＢＭ変換部１２１（画像データ変換部）、給紙状態検知部１２３、表示パネル部１２４、給紙カセット部１２５（給紙部）、手差給紙部１２６（給紙部）、印刷部１２７の各機能ブロックを有する。
【００３３】
インタフェース部１１１は、ＰＣ（Personal Computer）などとの接続を行うインタフェース部である。ＰＣ等で生成された印刷データは、インタフェース部１１１により受信される。
【００３４】
印刷データ受信部１１３は、前記インタフェース部１１１経由で印刷データを受信して蓄積する機能部である。印刷データは、通常ページ記述言語（ＰＤＬ）で記載されている。
【００３５】
用紙方向一致判断部１１５は、ＰＤＬ−ＤＬ変換部１１９及びＤＬ−ＢＭ変換部１２１により生成されたビットマップデータのデータの並び順が印刷エンジンで印刷される用紙の方向と一致しているかどうかを判断する。
【００３６】
画像回転部１１７は、ＰＤＬ−ＤＬ変換部１１９及びＤＬ−ＢＭ変換部１２１により生成されたビットマップデータが給紙部（給紙カセット部１２５及び手差給紙部１２６）に挿入されている用紙の方向と一致するかどうかを判断し、一致しないときには一致させる方向にビットマップデータの回転を行う。回転は時計方向に９０度の回転であっても良いし、２７０°の回転であってもよい。画像形成装置１０１の画像回転部１１７は、画像回転ハードウェアにより高速に画像の回転が可能となっている。
【００３７】
ＰＤＬ−ＤＬ変換部１１９（画像データ変換部）は、ページ記述言語（Page Description Language）で記載されている印刷データを中間言語であるディスプレイリスト（Display List）に変換する機能部である。
【００３８】
ＤＬ−ＢＭ変換部１２１（画像データ変換部）は、中間言語であるディスプレイリスト（Display List）に変換されたデータを画像データであるビットマップデータ（Bit Map）に変換する機能部である。上記ＰＤＬ−ＤＬ変換部１１９及びＤＬ−ＢＭ変換部１２１の二つの機能部で画像データ変換部を構成し、印刷データからビットマップデータである画像データへの変換を行う。
【００３９】
制御部１２２は、ＣＰＵ（Central Processing Unit）と周辺制御回路を有し画像形成装置全体の制御を司る。画像形成装置１０１における障害発生の有無や、障害からの復帰状態を検知して、復帰しての印刷が可能であれば、印刷を再開するように印刷部１２７を制御する。
【００４０】
給紙状態検知部１２３は、給紙カセット部１２５に給紙されている用紙のサイズや、給紙方向が通常方向（用紙の長手側が給紙方向）であるか、Ｒ方向（用紙の短手側が給紙方向）であるかどうか、給紙カセットの用紙の残量等を検知する。
【００４１】
給紙カセット部１２５（給紙部）は、印刷部１２７に給紙する用紙を貯留するための機能部である。
【００４２】
手差給紙部１２６（給紙部）は、印刷部１２７に給紙する用紙を手差しで供給するための機能部である。給紙カセット部１２５及び手差給紙部１２６により給紙部を構成する。
【００４３】
印刷部１２７は、印刷エンジンを有して画像データ（ビットマップデータ）を用紙に印刷を行う機能部である。
【００４４】
［フローチャート］
本発明実施例の画像形成装置１０１の動作について、図３と図４のフローチャートを用いて説明する。
【００４５】
Ｓ１１：画像形成装置１０１は、インタフェース部１１１を経由して、印刷データ受信部１１３にて印刷データを受信して蓄積する。
【００４６】
Ｓ１３：用紙方向一致判断部１１５は、給紙状態検知部１２３が検知した給紙カセットの用紙の給紙方向の情報と印刷データの印刷方向に基づいて、給紙部の給紙段の選択を行う。
【００４７】
Ｓ１５：Ｓ１３の結果、選択された給紙段では画像データの回転が必要であれば、動作をＳ１７に移行する。画像データの回転が必要なければ動作をＳ１６に移行する。
【００４８】
Ｓ１６：画像データの回転処理が必要無いので、受信した印刷データの印刷方向のまま、ＰＤＬ−ＤＬ変換部１１９において、ページ記述言語（ＰＤＬ）から中間言語であるディスプレイリスト（ＤＬ）に変換する。生成されたディスプレイリストをＤＬ−ＢＭ変換部１２１において、ディスプレイリストからビットマップ（ＢＭ）データに変換する。
【００４９】
Ｓ１７：画像データの回転処理が必要であるので、Ｓ１６と同様にＰＤＬ−ＤＬ変換部１１９においてのページ記述言語から中間言語への変換と、ＤＬ−ＢＭ変換部１２１においてのディスプレイリストからビットマップデータへの変換が行われる。その後画像回転部１１７により画像データの回転処理が行われる。
【００５０】
Ｓ１９：Ｓ１６又はＳ１７において変換されたビットマップデータが印刷部１２７に渡されて、印刷部１２７において印刷が行われる。
【００５１】
Ｓ２１：印刷中に障害が発生したかどうかを判断する。障害とは、例えば紙詰まりや用紙切れなどにより印刷の継続ができない状態をいう。障害が発生した場合は動作をＳ２５に移行する。障害が発生しない場合には動作をＳ２３に移行する。
【００５２】
Ｓ２３：障害が発生しなかったので、印刷は正常に終了する。
【００５３】
Ｓ２５：障害が発生したが、その障害を解消するための処理が行われる。これは、例えば前述の紙詰まりの場合には、ユーザが紙詰まり箇所から詰まっていた紙を取り除く処理である。
【００５４】
Ｓ２７：制御部１２２は、障害が解消されているか、印刷を再開できる状態に復帰しているかどうかを判断する。
【００５５】
Ｓ２９：復帰していて印刷が可能であれば動作をＳ３３（図４）に移行する。復帰が不可能であれば動作をＳ３１に移行する。
【００５６】
Ｓ３１：復帰しての印刷の継続が不可能であるので動作を終了（異常終了）する。
【００５７】
ここからフローチャートは後半部の図４に移る。
【００５８】
Ｓ３３：制御部１２２は、復帰しての印刷を継続するための画像データがすでに生成済みであるかどうかを判断する。すでに画像データが生成済みである場合は、動作をＳ３５に移行する。画像データがいまだ生成されていない場合には動作をＳ１３に移行する。Ｓ１３に戻り再度印刷データと装置の給紙方向を確認して、印刷データを画像データに変換する過程より動作を繰り返す。
【００５９】
Ｓ３４：ＤＬ−ＢＭ変換部１２１によって生成されたビットマップデータのデータの並び順と障害解消処理後に用紙が補充された給紙部の状態を検知して、ビットマップデータと用紙方向が一致しているかどうかを用紙方向一致判断部１１５が解析する。
【００６０】
Ｓ３５：Ｓ３４での結果用紙方向が一致していない場合は動作をＳ３７に移行する。用紙方向が一致している場合には動作をＳ３９に移行する。
【００６１】
Ｓ３７：用紙方向一致判断部１１５は、印刷データが生成されたときの用紙方向に基づいてではなく、Ｓ１６又はＳ１７において生成されたビットマップデータのデータの並び順に基づいて、用紙の挿入方向を表示パネル部１２４に表示する。
【００６２】
Ｓ３９：印刷部１２７において、画像データの印刷が行われる。その後、動作をＳ２１に移行して、障害が発生しないかどうかを監視する。
【００６３】
以上の一連の動作により、画像形成装置１０１は、印刷データを画像データに変換する際に、印刷データの生成方向に基づいてビットマップデータを生成して給紙カセットの給紙方向を判断して必要であれば画像回転処理を行って、正しい向きのビットマップデータを生成する。また、印刷中に障害が発生した場合には、その障害が解消されて印刷復帰する際に、その時点において生成されているビットマップデータのデータの並び順に基づいて、用紙の給紙方向を判断して給紙が必要な用紙の方向を表示パネルにおいて表示する。
【００６４】
［実施例の効果］
本発明実施例の画像形成装置により以下の効果が得られる。
【００６５】
アプリケーション側が生成する印刷データの印刷方向と給紙カセットの給紙方向が一致していなくとも画像回転部が画像データを回転することにより印刷が可能となる。
【００６６】
印刷データから変換されて、データの並び順がすでに決まっているビットマップデータである画像データが生成された場合であって、用紙が障害発生等により用紙の再挿入を促す場合に、元のアプリケーションが生成した印刷データの方向に基づいて用紙の印刷方向を指示するのではなく、前記生成されたビットマップデータの印刷方向に合わせて必要な用紙の方向を表示パネルに挿入することが可能となる。
【００６７】
そのため、間違った用紙方向の用紙が挿入されて印刷が継続されないという問題が回避される。
【００６８】
［その他］
実施例の画像形成装置では、画像回転ハードウェアを有する画像回転部１１７により、給紙カセットとの印刷方向の不一致時に必要な画像回転を高速に行うことが可能であるが、画像回転部１１７は、画像回転ハードウェアを有さずとも、ソフトウェアによる画像回転により画像回転を行う方法であってもよい。
【００６９】
実施例では、片面印刷についての例を説明したが、両面印刷の場合にも本発明は応用可能であり、両面印刷時は給紙方向が異なることで、画像の回転度が表と裏で変わってくる場合があるが、その場合でも実施例のようにページ単位での処理を行い両面印刷に対応する。
【００７０】
画像回転部による画像の回転方向は、実施例中では９０°及び２７０°について説明したが、１８０°の回転処理を行ってもよい。
【符号の説明】
【００７１】
１０１  画像形成装置
１１１  インタフェース部（Ｉ／Ｆ部）
１１３  印刷データ受信部
１１５  用紙方向一致判断部
１１７  画像回転部
１１９  ＰＤＬ−ＤＬ変換部（画像データ変換部）
１２１  ＤＬ−ＢＭ変換部（画像データ変換部）
１２２  制御部
１２３  給紙状態検知部
１２４  表示パネル部
１２５  給紙カセット部（給紙部）
１２６  手差給紙部
１２７  印刷部
【図１】
2010178079.tif 000003
【図２】
2010178079.tif 000004
【図３】
2010178079.tif 000005
【図４】
2010178079.tif 000006